(57)【要約】      （修正有）【課題】ブラシの面積を増減すべく容易に調整でき、かつ調整したブラシの面積を容易に固定することのできる睫毛ブラシを提供する。【解決手段】一端に突起端１１が形成され、他端に把持部が形成された軸桿１と、円環状を呈し、外周面には外方向に延伸し、かつ枝２２を具える複数のブラシ毛２１を植設し、上端縁部には係合溝を形成するとともに、底端縁部であって係合溝と円の中心とを結ぶ線に対して９０度の角度で円の中心から外方向に延伸する線と円周とが交わる位置には下方に向かって突起する係合突起２４を形成してなり、軸桿に挿設する複数のブラシ環と、筒状を呈し、外周面に複数のブラシ毛を植設するとともに、底端縁部には下方に向かって突起する係合突起を形成し、軸桿に挿設して軸桿の突起部に密接させる筒状ブラシ部１４と、によってなる。【選択図】図１
0003189729.tif 000002
【実用新案登録請求の範囲】
【請求項１】
一端に突起端を有し、他端に把持端を有する軸桿と、
円環状を呈し、外周面には外方向に延伸し、かつ枝を具える複数のブラシ毛を植設し、上端縁部には係合溝を有するとともに、底端縁部であって該係合溝と円の中心とを結ぶ線に対して９０度の角度で円の中心から外方向に延伸する線と円周とが交わる位置には下方に向かって突起する係合突起を有してなり、該軸桿に挿設する複数のブラシ環と、
筒状を呈し、外周面に複数のブラシ毛を植設するとともに、底端縁部には下方に向かって突起する係合突起を有し、該軸桿に挿設して該軸桿の突起部に密接させる筒状ブラシ部と、によってなり、
隣り合う該ブラシ環の該係合溝と該係合突起とが係合して位置決めし、該筒状ブラシ部の該係合突起が隣り合う該ブラシ環の該係合溝に係合して位置決めすることを特徴とする睫毛ブラシ。
【請求項２】
前記ブラシ環の該複数のブラシ毛は、それぞれの長さ、太さが不規則であることを特徴とする請求項１に記載の睫毛ブラシ。
【請求項３】
前記ブラシ環の該のブラシ毛の枝は、それぞれの長さ、太さが不規則であることを特徴とする請求項１に記載の睫毛ブラシ。
【請求項４】
前記ブラシ環の該係合溝と該係合突起とは、それぞれ同様の形状を呈し、かつ該形状が方形か、Ｖ字状か、半円形状か、もしくはＵ字状の内のいずれかであることを特徴とする請求項１に記載の睫毛ブラシ。
【請求項５】
前記係合溝内に凸出部を有し、かつ該係合突起に凹溝を有し、隣り合う該ブラシ環の該係合溝と該係合突起とが係合して位置決めし、該筒状ブラシ部の該係合突起が隣り合う該ブラシ環の該係合溝に係合して位置決めすることを特徴とする請求項１に記載の睫毛ブラシ。
【請求項６】
前記凸出部と該凹溝とは、同様の形状を呈し、かつ該形状が方形か、Ｖ字状か、半円形状か、もしくはＵ字状の内のいずれかであることを特徴とする請求項５に記載の睫毛ブラシ。
【請求項７】
前記ブラシ環に形成する該係合溝と係合突起とは、それぞれ複数有することを特徴とする請求項１に記載の睫毛ブラシ。
【請求項８】
前記ブラシ環に複数形成する該係合溝と係合突起とは、同様の形状を呈し、かつ該形状が二つの方形か、二つのＶ字状か、二つの半円形状か、もしくは二つのＵ字状の内のいずれかであることを特徴とする請求項７に記載の睫毛ブラシ。
【請求項９】
前記ブラシ環に複数形成する該係合溝と係合突起とは、同様の形状を呈し、かつ該形状が波型を呈することを特徴とする請求項７に記載の睫毛ブラシ。
【請求項１０】
前記ブラシ環に複数形成する該係合溝と係合突起とは、同様の形状を呈し、かつ該形状がＶ字状と方形との組み合わせであるか、方形とＵ字状との組み合わせであるか、もしくはＶ字状とＵ字状との組み合わせであって、
隣り合う該ブラシ環の該係合溝と該係合突起とが同様の形状を呈し、互いに係合して位置決めすることを特徴とする請求項７に記載の睫毛ブラシ。
【請求項１１】
前記ブラシ毛２は、該ブラシ環に該係合溝と該係合突起を有し、隣り合う該ブラシ環は連結されることによってブラシ毛の配列が高低に分けられて螺旋状になることを特徴とする請求項１に記載の睫毛ブラシ。
【請求項１２】
前記軸桿の該突起端から下方に第１位置決め部を有し、該筒状ブラシ部に第２位置決め部を有し、該第１位置決め部と該第２位置決め部とが係合して筒状ブラシ部が位置決めされることを特徴とする請求項１に記載の睫毛ブラシ。
【考案の詳細な説明】
【技術分野】
【０００１】
この考案は、化粧用品である睫毛ブラシに関するものである。
【０００２】
科学技術の進歩、取り分け情報産業の発展により、ファッション関連情報も数多く散布され、衣類、装飾品から化粧に関するまで幅広く人々の注目を集めるようになってきた。化粧に関して、五官の内、特に目は人の外見の美観を表わすための重要な部位である。この目の部分を引き立てるために、アイメークと称し、アイシャドーを塗ったり、アイラインを引いたりする。
【０００３】
また、アイメークには睫毛の処理も含まれ、このために多くの時間を費やす。近年は長く、カールした睫毛が好まれている。このため、つけ睫毛を付けたり、マスカラを塗ったりする。よって、マスカラを塗るための睫毛ブラシは常備すべき道具となっている。
【０００４】
目下市販されている従来の睫毛ブラシは、使用者が掴む把持部と、該把持部に連結するブラシ部とによってなる。該ブラシ部はブラシ軸と複数のブラシ毛とを含んでなり、マスカラを該ブラシ毛に付けて睫毛の先端に塗り、かつマスカラを糸状に伸ばす。このため、睫毛の長さが増して。かつ密度が濃くなるように見える。
【０００５】
但し、従来の睫毛ブラシは使用条件に合わせてブラシ部の幅、もしくはブラシ毛の配列方式を調整することができない。この点が欠点の一つと言える。  
【０００６】
上述する欠点を改善するために、改良された睫毛ブラシが開発され、市販されている。即ち、軸と、該軸に挿設する複数の円盤とを含んでなり、該円盤の該周面には複数のブラシの毛を植毛してなり、かつ該円盤は軸上において摺動自在に設ける。よって、該円盤を重ね合わせるか、もしくはそれぞれの円盤間の距離を調整することによって、ブラシの面積を拡大するか、もしくは縮小することができる。係る構成によって異なる特性のマスカラ、もしくは異なる使用者のニーズに対応する。
【０００７】
然しながら、上述する改良型の睫毛ブラシは、ブラシの面積を調整できるという特徴を有するものの、該円盤の位置が容易にずれて、すべての円盤が予期せず重ね合わさってしまうという欠点を有する。
【考案の概要】
【考案が解決しようとする課題】
【０００８】
この考案は、ブラシの面積を増減すべく容易に調整でき、かつ調整したブラシの面積を容易に固定することのできる睫毛ブラシを提供することを課題とする。
【課題を解決するための手段】
【０００９】
そこで、本考案者は従来の睫毛ブラシにみられる欠点に鑑み鋭意研究を重ねた結果、  一端に突起端が形成され、他端に把持端が形成された軸桿と、円環状を呈し、外周面には外方向に延伸し、かつ枝を具える複数のブラシ毛を植設し、上端縁部には係合溝を形成するとともに、底端縁部であって該係合溝と円の中心とを結ぶ線に対して９０度の角度で円の中心から外方向に延伸する線と円周とが交わる位置には下方に向かって突起する係合突起を形成してなり、該軸桿に挿設する複数のブラシ環と、筒状を呈し、外周面に複数のブラシ毛を植設するとともに、底端縁部には下方に向かって突起する係合突起を形成し、該軸桿に挿設して該軸桿の突起部に密接させる筒状ブラシ部と、によってなる睫毛ブラシによって欠点を改善できる点に着眼し、係る知見に基づいて本考案を完成させた。
【００１０】
以下この考案について具体的に説明する。
請求項１に記載する睫毛ブラシは、一端に突起端が形成され、他端に把持端が形成された軸桿と、
円環状を呈し、外周面には外方向に延伸し、かつ枝を具える複数のブラシ毛を植設し、上端縁部には係合溝を形成するとともに、底端縁部であって該係合溝と円の中心とを結ぶ線に対して９０度の角度で円の中心から外方向に延伸する線と円周とが交わる位置には下方に向かって突起する係合突起を形成してなり、該軸桿に挿設する複数のブラシ環と、
筒状を呈し、外周面に複数のブラシ毛を植設するとともに、底端縁部には下方に向かって突起する係合突起を形成し、該軸桿に挿設して該軸桿の突起部に密接させる筒状ブラシ部と、によってなり、
隣り合う該ブラシ環の該係合溝と該係合突起とが係合して位置決めし、該筒状ブラシ部の該係合突起が隣り合う該ブラシ環の該係合溝に係合して位置決めする。
【００１１】
請求項２に記載する睫毛ブラシは、請求項１におけるブラシ環の該複数のブラシ毛が、それぞれの長さ、太さを不規則に形成する。
【００１２】
請求項３に記載する睫毛ブラシは、請求項１におけるブラシ環の該のブラシ毛の枝が、それぞれの長さ、太さを不規則に形成する。
【００１３】
請求項４に記載する睫毛ブラシは。請求項１におけるブラシ環の該係合溝と該係合突起とが、それぞれ同様の形状を呈し、かつ該形状が方形か、Ｖ字状か、半円形状か、もしくはＵ字状の内の任意の一である。
【００１４】
請求項５に記載する睫毛ブラシは。請求項１における係合溝内に凸出部を形成し、かつ該係合突起に凹溝を形成し、隣り合う該ブラシ環の該係合溝と該係合突起とが係合して位置決めし、該筒状ブラシ部の該係合突起が隣り合う該ブラシ環の該係合溝に係合して位置決めする。
【００１５】
請求項６に記載する睫毛ブラシは、請求項５における凸出部と該凹溝とが、同様の形状を呈し、かつ該形状が方形か、Ｖ字状か、半円形状か、もしくはＵ字状の内の任意の一である。
【００１６】
請求項７に記載する睫毛ブラシは、請求項１における前記ブラシ環に形成する該係合溝と係合突起とが、それぞれ複数形成される。
【００１７】
請求項８に記載する睫毛ブラシは、請求項７におけるブラシ環に複数形成する該係合溝と係合突起とが、同様の形状を呈し、かつ該形状が二つの方形か、二つのＶ字状か、二つの半円形状か、もしくは二つのＵ字状の内の任意の一である。
【００１８】
請求項９に記載する睫毛ブラシは、請求項７におけるブラシ環に複数形成する該係合溝と係合突起とが、同様の形状を呈し、かつ該形状が波型を呈する。
【００１９】
請求項１０に記載する睫毛ブラシは、請求項７におけるブラシ環に複数形成する該係合溝と係合突起とが、同様の形状を呈し、かつ該形状がＶ字状と方形との組み合わせであるか、方形とＵ字状との組み合わせであるか、もしくはＶ字状とＵ字状との組み合わせであって、
隣り合う該ブラシ環の該係合溝と該係合突起とが同様の形状を呈し、互いに係合して位置決めする。
【００２０】
請求項１１に記載する睫毛ブラシは、請求項１におけるブラシ毛２が、該ブラシ環に該係合溝と該係合突起を設け、隣り合う該ブラシ環を連結することによってブラシ毛２１の配列が高低に分けられて螺旋状になる。
【００２１】
請求項１２に記載する睫毛ブラシは  請求項１における軸桿の該突起端から下方に第１位置決め部が延伸して形成され、該筒状ブラシ部に第２位置決め部が形成され、該第１位置決め部と該第２位置決め部とが係合して筒状ブラシ部が位置決めされる。
【図面の簡単な説明】
【００２２】
【図１】この考案による睫毛ブラシの外観を示した斜視図である。
【図２】図１に開示する睫毛ブラシの各部分を示した説明図である。
【図３】図１に開示する睫毛ブラシの各部分を示した一部拡大説明図である。
【図３Ａ】他の角度から見た図１に開示する睫毛ブラシの各部分を示す一部拡大説明図である。
【図４】第１の実施例におけるブラシ環を示した説明図である。
【図５】第２の実施例におけるブラシ環を示した説明図である。
【図６】第３の実施例におけるブラシ環を示した説明図である。
【図７】第４の実施例におけるブラシ環を示した説明図である。
【図８】第５の実施例におけるブラシ環を示した説明図である。
【図９】第６の実施例におけるブラシ環を示した説明図である。
【図１０】第７の実施例におけるブラシ環を示した説明図である。
【図１１】第８の実施例におけるブラシ環を示した説明図である。
【図１２】第９の実施例におけるブラシ環を示した説明図である。
【図１３】第１０の実施例におけるブラシ環を示した説明図である。
【図１４】第１１の実施例におけるブラシ環を示した説明図である。
【図１５】第１２の実施例におけるブラシ環を示した説明図である。
【図１６】第１３の実施例におけるブラシ環を示した説明図である。
【図１７】第１４の実施例におけるブラシ環を示した説明図である。
【図１８】第１５の実施例におけるブラシ環を示した説明図である。
【図１９】第１６の実施例におけるブラシ環を示した説明図である。
【考案を実施するための形態】
【００２３】
この考案は、ブラシの面積を増減すべく容易に調整でき、かつ調整したブラシの面積を容易に固定することのできる睫毛ブラシを提供するものであって、一端に突起端が形成され、他端に把持端が形成された軸桿と、円環状を呈し、外周面には外方向に延伸し、かつ枝を具える複数のブラシ毛を植設し、上端縁部には係合溝を形成するとともに、底端縁部であって該係合溝と円の中心とを結ぶ線に対して９０度の角度で円の中心から外方向に延伸する線と円周とが交わる位置には下方に向かって突起する係合突起を形成してなり、該軸桿に挿設する複数のブラシ環と、筒状を呈し、外周面に複数のブラシ毛を植設するとともに、底端縁部には下方に向かって突起する係合突起を形成し、該軸桿に挿設して該軸桿の突起部に密接させる筒状ブラシ部と、によってなる。係る睫毛ブラシの特徴を説明するために、具体的な実施例を挙げ、図面を参照にして以下に詳述する。
【実施例１】
【００２４】
図１、２に、この考案による睫毛ブラシの外観と部材の動作を開示する。図面によれば、軸桿１とブラシ環２とを含んでなり、軸桿１の一端は円錐状の突起端１１とし、突起端１１から下方に第１位置決め部１１１が延伸して形成される。実施例において第１位置決め部１１１は軸１の外周面から凸出したブロック状を呈する。
【００２５】
軸桿１の他端には把持部１２を形成し、かつ把持部１２に近接した位置には、外周面に沿って凹溝１３を形成する。
【００２６】
また、軸桿１には複数のブラシ環２を挿設する。実施例においては、ブラシ環２は円環状を呈し、外周面には外方向に延伸する複数のブラシ毛２１を植設する。ブラシ毛２１は、それぞれの長さ、太さなどを揃えず不規則に形成するとともに、それぞれのブラシ毛２１には、太さ、長さが不規則で、かつ不規則に分布する枝２２を形成する。
【００２７】
また、それぞれのブラシ環２の上端縁部には係合溝２３を形成するとともに、底端縁部には係合突起２４を形成する。即ち、係合溝２３は円周上に位置し、上端縁部から下方に向かって凹状に形成し、係合突起２４は円周上に位置し、底端縁部から下方に向かって突起する。また、係合溝２３と円の中心を結ぶ線と、係合突起２４と円の中心とを結ぶ線とは、９０度の角度を形成する。
【００２８】
図３に開示するように、それぞれのブラシ環２は係合溝２３が隣り合う他のブラシ環２の係合突起２４と係合する。即ち、ブラシ環２を隣り合う他のブラシ環２に連結して位置決めする場合は、ブラシ環２を回転させて係合溝２３と係合突起２４とを係合させる。
【００２９】
ブラシ毛２１は、ブラシ環２に係合溝２３、係合突起２４を設けることによって分布が高低に分けられ、隣り合うブラシ環２を連結することによってブラシ毛２１は配列が螺旋状になる。
【００３０】
また、図３Ａに開示するように、軸桿１の突起端１１に接する位置には筒状ブラシ部１４を挿設する。筒状ブラシ部１４には第２位置決め部１４３を形成する。実施例において第２位置決め部１４３は筒状ブラシ部１４の内周壁に軸方向に沿って形成された凹溝であり、第１位置決め部１１１に係合して、筒状ブラシ部１４が突起端１１に密接した状態になるよう位置決めする。
【００３１】
また、筒状ブラシ部１４の底端縁部には下方に向かって突起する係合部１４１を形成する。係合部１４１は、隣り合うブラシ環２の係合溝２３に係合する。よって、係合部１４１の形状はブラシ環２の係合溝２３に対応する形状とする。
【００３２】
さらに、筒状ブラシ部１４の外周面には、複数のブラシ毛１４２を配列して植設する。
【実施例２】
【００３３】
図４に開示するように、実施例１においてはそれぞれのブラシ環２に形成する係合溝２３と係合突起２４とは、それぞれ方形を呈して互いに係合する。実施例２においては、図５に開示するようにブラシ環２に形成する係合溝２３と係合突起２４とがＶ字状を呈して互いに係合する。
【実施例３】
【００３４】
図６に開示するように、実施例３においてはブラシ環２に形成する係合溝２３と係合突起２４とが半円形状を呈して互いに係合する。
【実施例４】
【００３５】
図７に開示するように、実施例４においてはブラシ環２に形成する係合溝２３と係合突起２４とがＵ字状を呈して互いに係合する。
【実施例５】
【００３６】
図８に開示するように、実施例５においてはブラシ環２に形成する係合溝２３と係合突起２４とが方形を呈し、かつ係合溝２３内に方形の凸出部２３１を形成する。また、係合突起２４には、凸出部２３１に対応する位置に方形の凹溝２４１を形成し、係合溝２３と係合突起２４とが確実に係合して、ブラシ環状２が位置決めされるように構成する。
【実施例６】
【００３７】
図９に開示するように、実施例６においては係合溝２３内にＶ字状の凸出部２３１を形成し、係合突起２４には、対応する位置にＶ字状の凹溝２４１を形成する。
【実施例７】
【００３８】
図１０に開示するように、実施例７においては係合溝２３内にＵ字状の凸出部２３１を形成し、係合突起２４には、対応する位置にＵ字状の凹溝２４１を形成する。
【実施例８】
【００３９】
図１１に開示するように、実施例８においては係合溝２３内に半円形状の凸出部２３１を形成し、係合突起２４には、対応する位置に半円形状の凹溝２４１を形成する。
【実施例９】
【００４０】
図１２に開示するように、実施例９においては、それぞれのブラシ環２の上端縁部には複数の係合溝２３を形成するとともに、底端縁部には複数の係合突起２４を形成する。即ち、複数の係合溝２３はそれぞれ円周上に位置し、上端縁部から下方に向かって凹状に形成し、複数係合突起２４はそれぞれ円周上に位置し、底端縁部から下方に向かって突起する。また、係合溝２３と円の中心を結ぶ線と、係合突起２４と円の中心とを結ぶ線とは、９０度の角度を形成する。それぞれのブラシ環２は係合溝２３が隣り合う他のブラシ環２の係合突起２４と係合して位置決めされる。また、係合溝２３と係合突起２４とは、それぞれ方形を呈する。
【実施例１０】
【００４１】
図１３に開示するように、実施例１０においては、係合溝２３にはＶ字状の溝を二つ形成し、係合突起２４には、対応する位置にＶ字状の突起を二つ形成する。
【実施例１１】
【００４２】
図１４に開示するように、実施例１１においては、係合溝２３には半円形状の溝を二つ形成し、係合突起２４には、対応する位置に半円形状の突起を二つ形成する。
【実施例１２】
【００４３】
図１５に開示するように、実施例１２においては、係合溝２３にはＵ字状の溝を二つ形成し、係合突起２４には、対応する位置にＵ字状の突起を二つ形成する。
【実施例１３】
【００４４】
図１６に開示するように、実施例１３においては、係合溝２３と係合突起２４とは、それぞれ波型を呈する。
【実施例１４】
【００４５】
図１７に開示するように、実施例１４においては、それぞれのブラシ環２の上端縁部には複数の係合溝２３を形成するとともに、底端縁部には複数の係合突起２４を形成する。係合溝２３はＶ字状の溝と方形の溝を配列してなり、係合突起２４は、同様にＶ字状の突起と方形の突起を配列してなる、同様にそれぞれのブラシ環２は係合溝２３が隣り合う他のブラシ環２の係合突起２４と係合して位置決めされる。
【実施例１５】
【００４６】
図１８に開示するように、実施例１５においては係合溝２３がＶ字状の溝とＵ字状の溝とを配列してなり、係合突起２４が同様にＶ字状の突起とＵ字状の突起とを配列してなる。
【実施例１６】
【００４７】
図１９に開示するように、実施例１６においては係合溝２３が方形の溝とＵ字状の溝とを配列してなり、係合突起２４が同様に方形の突起とＵ字状の突起とを配列してなる。
【００４８】
以上はこの考案の好ましい実施の形態であるが、この考案の実施の範囲を限定するものではない。よって、当業者の成し得る修正、変更などであって、この考案の精神の下においてなされ、この考案に対して均等の効果を有するものは、いずれもこの考案の実用新案登録請求の範囲に属するものとする。
【符号の説明】
【００４９】
１     軸桿
１１   突起端
１１１ 第１位置決め部
１２   把持部
１３   凹溝
１４   筒状ブラシ部
１４１ 係合部
１４２ ブラシ毛 
１４３ 第２位置決め部
２     ブラシ環
２１   ブラシ毛
２２   枝
２３   係合溝
２３１ 凸出部
２４   係合突起
２４１ 凹溝
【図１】
0003189729.tif 000003
【図２】
0003189729.tif 000004
【図３】
0003189729.tif 000005
【図３Ａ】
0003189729.tif 000006
【図４】
0003189729.tif 000007
【図５】
0003189729.tif 000008
【図６】
0003189729.tif 000009
【図７】
0003189729.tif 000010
【図８】
0003189729.tif 000011
【図９】
0003189729.tif 000012
【図１０】
0003189729.tif 000013
【図１１】
0003189729.tif 000014
【図１２】
0003189729.tif 000015
【図１３】
0003189729.tif 000016
【図１４】
0003189729.tif 000017
【図１５】
0003189729.tif 000018
【図１６】
0003189729.tif 000019
【図１７】
0003189729.tif 000020
【図１８】
0003189729.tif 000021
【図１９】
0003189729.tif 000022